(57)【要約】【課題】本発明は光源の光漏れ防止構造に関し、隣接部への光漏れを確実に阻止するとともに、部品点数の削減と、光レンズの組立ての手間も掛からないようにすることが課題である。【解決手段】光源８と、該光源を覆って外部に光を導出する光レンズ１と、前記光源の上位置に開口部を設け、隣接する光源を左右の壁と当該両光源間に介在する隔壁とで仕切るとともに前記光源レンズを支持する框体２とを有し、前記隔壁９は、その壁本体９ａの端部から前記光源の隣接する方向に沿って両側に延設された延設部１０，１１によって前記壁本体９ａと前記延設部１０，１１とで略Ｔ字型に形成され、隣接する前記光源レンズ８，８同士が、前記Ｔ字型の壁本体と延設部とに嵌合する嵌合部１ｃを介して一体に形成されているようにした光源の光漏れ防止構造Ａとするものである。【選択図】図３
2005037772.tif 000002
【特許請求の範囲】
【請求項１】
光源と、
該光源を覆って外部に光を導出する光レンズと、
前記光源の上位置に開口部を設け、隣接する光源を左右の壁と当該両光源間に介在する隔壁とで仕切るとともに前記光源レンズを支持する框体とを有し、
前記隔壁は、その壁本体の端部から前記光源の隣接する方向に沿って両側に延設された延設部によって前記壁本体と前記延設部とで略Ｔ字型に形成され、
隣接する前記光源レンズ同士が、前記Ｔ字型の壁本体と延設部とに嵌合する嵌合部を介して一体に形成されていること、
を特徴とする光源の光漏れ防止構造。
【請求項２】
光レンズと框体側の側壁との間には係合する凹凸部が設けられて、開口部から光源方向への当該光レンズの抜け出しが防止されていること、
を特徴とする請求項１に記載の光源の光漏れ防止構造。
【請求項３】
互いに隣接する２以上の光レンズが、嵌合部を介して一体に形成されていること、
を特徴とする請求項１に記載の光源の光漏れ防止構造。
【発明の詳細な説明】
【技術分野】
【０００１】
本発明は、例えば、パーソナルコンピュータ、ノート型パーソナルコンピュータ、これらに使用される機能拡張用のＰＣカード（メモリーカード）、その他の一般電子機器等において、点灯表示用に使用される、主にＬＥＤを始めとする光源の光漏れ防止構造に関するものである。
【背景技術】
【０００２】
電子機器における、例えば、合成樹脂製の外装用框体には、各種の点灯表示部があり、それに使用されるＬＥＤ等の光源が点灯した場合に、隣接部への光漏れを防止する対策が必要である。それには、下方向から見た図に示すように、例えば、合成樹脂製框体であるカバー２０における天板２１に左右の側壁２２，２３と、後方の側壁２４，２５と、前方の側壁２６と、隣接する光源２８間に間に介在する隔壁２７とによって、光レンズ２９の四方周囲を囲繞して、光漏れ防止構造としているものが知られている。
【０００３】
しかし、前記隔壁２７と後方の側壁２４，２５との間は、壁としての連続性が無く、光レンズ２９を通して隣接する表示部へ光が回り込んで漏れてしまうことがある。よって、片方のＬＥＤが点灯すると、他方でも点灯したかのように見えてしまう、という欠点があった。更に、完全に矩形状若しくは円形状に囲繞する周壁体とすると、隣接する光レンズ同士の連結において、高さ方向に厚くしてブリッジさせて連結部を設けることになり、高さ方向の厚みが嵩んで薄型化の要請に対応できなくなる。
【０００４】
また、このほか、矩形状で格子状の枠体を形成して、それに漏光防止シートや化粧板等を装備して、光源の漏れを防止するものが知られている。これの、部品点数が増加して、組み立て工数も増すという課題がある。
【特許文献１】特開平７−３０６６４８号公報
【発明の開示】
【発明が解決しようとする課題】
【０００５】
解決しようとする問題点は、光源の光が隣接する表示部に漏れ込むことである。また、光の漏れを防止するための部品点数が多くなることである。
【課題を解決するための手段】
【０００６】
本発明に係る光源の光漏れ防止構造は、光源と、該光源を覆って外部に光を導出する光レンズと、前記光源の上位置に開口部を設け、隣接する光源を左右の壁と当該両光源間に介在する隔壁とで仕切るとともに前記光源レンズを支持する框体とを有し、前記隔壁は、その壁本体の端部から前記光源の隣接する方向に沿って両側に延設された延設部によって前記壁本体と前記延設部とで略Ｔ字型に形成され、隣接する前記光源レンズ同士が、前記Ｔ字型の壁本体と延設部とに嵌合する嵌合部を介して一体に形成されていることである。
【０００７】
また、光レンズと框体側の側壁との間には係合する凹凸部が設けられて、開口部から光源方向への当該光レンズの抜け出しが防止されていること、；
更に、前記互いに隣接する２以上の光レンズが、嵌合部を介して一体に形成されていることを含むものである。
【発明の効果】
【０００８】
本発明の光源の光漏れ防止構造は、隣接する光源の間に介在する隔壁が、略Ｔ字型に形成されて隅部における光の透過を阻止し、隣接部への光の漏れが防止される。
また、光レンズと框体側の側壁との間には係合する凹凸部が設けらていることで、光レンズがしっかりと保持されて、組立て時においても抜け出して落下することがない。
更に、複数個の光レンズがＴ字型の壁本体と延設部とに嵌合する嵌合部で一体化されて、一つの部品となり、取り扱いやすくなるとともに、部品点数が削減され在庫管理が容易となる。
【発明を実施するための最良の形態】
【０００９】
前記光源の光漏れ防止構造は、図１乃至図３に示すように、ＰＣカード等の電子機器における合成樹脂製のカバーを框体とし、その框体の内側に、光源の光を遮断すべくＴ字型の嵌合部を形成し、隣接する光レンズを前記嵌合部により一体に形成することである。
【実施例１】
【００１０】
本発明の光漏れ防止構造Ａにおける、合成樹脂製で透明若しくは半透明の光レンズ１は、図１乃至図２に示すように、光源毎に覆うレンズ本体１ａ，１ｂと、このレンズ本体１ａ，１ｂを一体に連結する嵌合部１ｃと、から形成されている。また、レンズ本体１ａ，１ｂには、それぞれ、光源の光が通過する凹部１ｄが設けられ、框体の開口部３ａ（図３参照）に嵌合する窓部１ｅと、框体２の側壁に係合する凸部１ｆとが設けられている。
【００１１】
一方、前記合成樹脂製のカバーである框体２には、図３に示すように、天板３に左右の側壁４，５と、前方の側壁６と、プリント基板７上の隣接する光源８間に介在する隔壁９とが設けられている。前記隔壁９は、その壁本体９ａとその端部から光源８，８の隣接方向に延設された延設部１０，１１とによって、略Ｔ字型に形成されている。
【００１２】
そして、前記左右の側壁４，５と略Ｔ字型の隔壁９に囲繞された中に、外部に光源を光を透過させる開口部３ａが設けられている。また、框体２の前方の側壁６には、光レンズ１の凸部１ｆは係合する凹部６ａが、各光源の部位毎に設けられている。
【００１３】
前記框体２に、前記光レンズ１を、図３（Ａ），（Ｂ）に示すように、嵌合部１ｃを框体２側のＴ字型部分に嵌合させ、窓部１ｅを開口部３ａに嵌合させ、凸部１ｆを凹部６ａに嵌合させて、組立てる。これにより、光源８に対する光漏れ防止構造Ａが構成される。
【００１４】
そして、プリント基板７上の光源８，８のいずれか一方が点灯すると、前記開口部３ａから窓部１ｅを光が透過して外部に視認され、その一方で、光源８の光が隔壁９の壁本体９ａで左右方向に漏れるのが阻止されるとともに、当該壁本体９ａと前記延設部１０，１１とによって略Ｔ字型に形成されている部分から隣接部に光が漏れるのが確実に阻止される。
【００１５】
このように、光源８の光漏れが防止されるとともに、前記凸部１ｆが凹部６ａに係合していることで、抜け出しによる脱落が阻止され、また、図３（Ａ）に示すように、隣接する光源８，８のピッチαを、壁本体９ａを薄くしても確実に光漏れがないので、従来よりも狭く設定することができる。
【実施例２】
【００１６】
本発明の第２実施例に係る光漏れ防止構造Ｂは、図４に示すように、互いに隣接する２以上の光レンズ１が、嵌合部１ｃを介して一体に形成され、一つの光レンズ１５となし、これを、図５に示すように、框体２の壁本体９ａと延設部１０，１１とでなるＴ字型部分に前記嵌合部１ｃを嵌合させて、所定の位置に配設させたものである。
【００１７】
このようにすることで、光源８の光漏れを防止するとともに、多数この光レンズを１個の光レンズとすることができて、部品点数が削減されるとともに、組立作業も部品を扱いやすく容易となる。
【産業上の利用可能性】
【００１８】
光源の点灯を外装パネル等に表示する必要のある部分の、あらゆる用途の装置に適用できる。
【図面の簡単な説明】
【００１９】
【図１】本発明に係る第１実施例の光源の光漏れ防止構造Ａの、光レンズ１の平面図（Ａ）、正面図（Ｂ）、底面図（Ｃ）、側面図（Ｄ）である。
【図２】同光レンズ１の背面図（Ａ）と、同図におけるＡ−Ａ線に沿った断面図（Ｂ）、同Ｂ−Ｂ線に沿った断面図（Ｃ）である。
【図３】同光源の光漏れ防止構造Ａの説明図（Ａ）と、同図におけるＸ−Ｘ線に沿った断面図（Ｂ）である。
【図４】本発明に係る第２実施例における、光レンズ１５の平面図（Ａ）、正面図（Ｂ）、底面図（Ｃ）、側面図（Ｄ）である。
【図５】同第２実施例に係る光源の光漏れ防止構造Ｂを示す説明図である。
【図６】従来例に係る光源の光漏れ防止構造を示す正面図である。
【符号の説明】
【００２０】
１          光源の光漏れ防止構造、
１ａ，１ｂ  レンズ本体、  
１ｃ        嵌合部、
１ｄ        凹部、
１ｅ        窓部、
１ｆ        凸部、
２          框体、    
３          天板、
３ａ        開口部、
４          側壁、
５          左右の側壁、
６          前方の側壁、
６ａ        凹部、
７          プリント基板、
８          光源、
９          隔壁、  
９ａ        壁本体、
１０，１１  延設部、
１５        第２実施例の光レンズ。
【図１】
2005037772.tif 000003
【図２】
2005037772.tif 000004
【図３】
2005037772.tif 000005
【図４】
2005037772.tif 000006
【図５】
2005037772.tif 000007
【図６】
2005037772.tif 000008